(57)【要約】【課題】表示の変化に空間的なつながり感と空間的な広がり感の両者が得られる指針計器を提供する。【解決手段】指針計器１は、目盛部３１を備えた透光性部材３と、透光性部材３の背後側に配置された光源６３と、光源６３が消燈している状態において、目盛部３１の一部３１ａを目視側から遮蔽して目視側から視認させないように形成された遮蔽部２３を有し、且つ、目盛部３１の残部３１ｂを目視側から視認させるように構成配置された文字盤２とを備え、遮蔽部２３が、目盛部３１の一部３１ａが光源６３が点燈している状態において遮蔽部２３を通して視認できるように透光性を有する。これにより、表示の変化に空間的なつながり感と空間的な広がり感の両者が得られる指針計器を提供できる。【選択図】図２
2007218694.tif 000002
【特許請求の範囲】
【請求項１】
目盛部を備えた透光性部材と、
前記透光性部材の背後側に配置された光源と、
前記光源が消燈している状態において、前記目盛部の一部を目視側から遮蔽して該目視側から視認させないように形成された遮蔽部を有し、且つ、該目盛部の残部を該目視側から視認させるように構成配置された文字盤とを備え、
前記遮蔽部は、前記目盛部の前記一部が前記光源が点燈している状態において該遮蔽部を通して視認できるように透光性を有することを特徴とする指針計器。
【請求項２】
前記目盛部の各目盛は、該目盛部の前記一部と該目盛部の前記残部との間で連続して形成されていることを特徴とする請求項１に記載の指針計器。
【請求項３】
前記目盛部は、前記遮蔽部に対して傾斜するように形成されていることを特徴とする請求項１または請求項２に記載の指針計器。
【請求項４】
前記目盛部の前記残部は、該目盛部の前記一部より前記目視側に配置されていることを特徴とする請求項３に記載の指針計器。
【請求項５】
前記遮蔽部は、前記目盛部の前記一部側から該目盛部の前記残部側へ向かって徐々に透光性が高まるように形成されたグラデーション部を備えることを特徴とする請求項４に記載の指針計器。
【請求項６】
前記遮蔽部は、曇りガラス特性またはハーフミラー特性を有するように形成されていることを特徴とする請求項１ないし請求項５のいずれか一項に記載の指針計器。
【請求項７】
前記文字盤は、前記光源が消燈している状態において前記目盛部の前記残部を前記目視側から視認させる開口部または透明部を備えることを特徴とする請求項１ないし請求項６のいずれか一項に記載の指針計器。
【請求項８】
前記文字盤の目視側前面に沿って回動する指針を備え、
前記透光性部材と前記遮蔽部は、前記指針の先端が回動する方向へ沿う形状に形成され、
前記目盛部は、前記指針の前記先端が回動する方向へ沿って形成され、
前記目盛部の前記一部は、該目盛部の前記残部より内周側または外周側に配置されていることを特徴とする請求項１ないし請求項７のいずれか一項に記載の指針計器。
【発明の詳細な説明】
【技術分野】
【０００１】
本発明は、自動車等に採用するに適した指針計器に関するものである。
【背景技術】
【０００２】
近年、自動車に装備される車両用指針計器に対して、見映えを高めるために空間的な広がり感を求める要望がある。
【０００３】
例えば、第１文字盤と、その目視側に配置された第２文字盤と、第２文字盤の目視側前面に沿って回動する指針と、第１文字盤の背後に配置された発光ダイオードと、第１文字盤と第２文字盤との間に配置されたハーフミラーとを備えた指針計器が開示されている（特許文献１を参照）。
【０００４】
第１文字盤と第２文字盤は、共に透光性を有し、第１文字盤には目盛が形成され、第２文字盤には文字が形成されている。このため、発光ダイオードが消燈している状態においては、ハーフミラーは鏡状態となるため、第１文字盤の目盛は、鏡状態のハーフミラーによって目視側から視認できない。
【０００５】
一方、発光ダイオードが点燈している状態においては、ハーフミラーが透光性を有するため、第１文字盤を透過照明した発光ダイオードの光が、ハーフミラーと第２文字盤を透過する。これにより、第１文字盤の目盛を、目視側から視認することができる。
【０００６】
即ち、発光ダイオードが消燈している状態においては、第２文字盤の文字のみ視認されるが、発光ダイオードが点燈している状態においては、第２文字盤の文字と、これより背後側にある第１文字盤の目盛の両方を視認することができる。これにより、指針計器の表示を変化させて、立体感、奥行き感のある斬新な見映えを得ようとするものである。
【特許文献１】特開２００３−２４７８７１号公報
【発明の開示】
【発明が解決しようとする課題】
【０００７】
特許文献１では、指針計器の表示の変化に空間的な広がり感が得られるが、目盛と文字の間に空間的なつながり感がないため、指針計器の表示の変化に空間的なつながり感が得られない。このため、見映えを充分に高めることができない。
【０００８】
本発明は、上記問題点に鑑みてなされたものであり、表示の変化に空間的なつながり感と空間的な広がり感の両者が得られる指針計器を提供することを目的とする。
【課題を解決するための手段】
【０００９】
本発明は上記目的を達成するため、以下の技術的手段を採用する。
【００１０】
請求項１に記載の指針計器は、目盛部を備えた透光性部材と、透光性部材の背後側に配置された光源と、光源が消燈している状態において、目盛部の一部を目視側から遮蔽して目視側から視認させないように形成された遮蔽部を有し、且つ、目盛部の残部を目視側から視認させるように構成配置された文字盤とを備え、遮蔽部が、目盛部の一部が光源が点燈している状態において遮蔽部を通して視認できるように透光性を有することを特徴とする。
【００１１】
この構成では、文字盤が、光源が消燈している状態において、透光性部材の目盛部の一部を目視側から遮蔽して目視側から視認させないように形成された遮蔽部を有し、且つ、目盛部の残部を目視側から視認させるように構成配置される。また、遮蔽部が、目盛部の一部が光源が点燈している状態において遮蔽部を通して視認できるように透光性を有する。
【００１２】
これにより、光源が消燈している状態においては、透光性部材の目盛部は、その残部のみが視認され、光源が点燈している状態においては、透光性部材の目盛部は、その残部とその一部の両方が視認される。即ち、光源の点燈・消燈によって、目盛部の表示は、その残部のみが視認される状態と、その残部とその一部の両方が視認される状態の間で変化する。
【００１３】
この結果、目盛部の表示の変化に空間的なつながり感と空間的な広がり感の両者が得られ、表示の変化に空間的なつながり感と空間的な広がり感の両者が得られる指針計器を提供することができる。
【００１４】
請求項２に記載の指針計器は、目盛部の各目盛が、目盛部の一部と目盛部の残部との間で連続して形成されていることを特徴とする。
【００１５】
この構成では、目盛部の各目盛が、目盛部の一部と目盛部の残部との間で連続して形成されているため、目盛部の表示の変化に空間的なつながり感をより高めることができる。これにより、上述の効果をより高めることができる。
【００１６】
請求項３に記載の指針計器は、目盛部が、遮蔽部に対して傾斜するように形成されていることを特徴とする。
【００１７】
この構成では、目盛部が遮蔽部に対して傾斜しているため、目盛部の表示の変化に奥行き感を追加でき、これにより、空間的な広がり感をより高めることができる。これにより、上述の効果をより高めることができる。
【００１８】
請求項４に記載の指針計器は、目盛部の残部が、目盛部の一部より目視側に配置されていることを特徴とする。
【００１９】
この構成では、目盛部の残部が目盛部の一部より目視側に配置されているため、光源を点燈させることによって、目盛部が奥へ伸びていくように見せることができる。これにより、上述の効果をより高めることができる。
【００２０】
請求項５に記載の指針計器は、遮蔽部が、目盛部の一部側から目盛部の残部側へ向かって徐々に透光性が高まるように形成されたグラデーション部を備えることを特徴とする。
【００２１】
この構成では、遮蔽部が、目盛部の一部側から目盛部の残部側へ向かって徐々に透光性が高まるように形成されたグラデーション部を備える。これにより、光源を点燈させることによって、目盛部の一部が、目盛部の残部側と反対方向へ向かって徐々に視認し難くなる。このため、目盛部が奥へ伸びて消えていくように見せることができ、目盛部が奥へ伸びていく感覚をより強調できる。この結果、上述の効果をより高めることができる。
【００２２】
請求項６に記載の指針計器は、遮蔽部が、曇りガラス特性またはハーフミラー特性を有するように形成されていることを特徴とする。
【００２３】
この構成では、遮蔽部が曇りガラス特性またはハーフミラー特性を有するように形成されている。これにより、目盛部の一部を、容易な構成で、光源の点燈・消燈によって視認できる状態と視認できない状態の間で変化させることができる。この結果、上述の効果を容易な構成で得ることができる。
【００２４】
請求項７に記載の指針計器は、文字盤が、光源が消燈している状態において目盛部の残部を目視側から視認させる開口部または透明部を備えることを特徴とする。
【００２５】
この構成では、文字盤が、光源が消燈している状態において目盛部の残部を目視側から視認させる開口部または透明部を備える。これにより、光源が消燈している状態において目盛部の残部を、容易な構成で目視側から視認させることができる。この結果、上述の効果を容易な構成で得ることができる。
【００２６】
請求項８に記載の指針計器は、文字盤の目視側前面に沿って回動する指針を備え、透光性部材と遮蔽部が、指針の先端が回動する方向へ沿う形状に形成され、目盛部が、指針の先端が回動する方向へ沿って形成され、目盛部の一部が、目盛部の残部より内周側または外周側に配置されていることを特徴とする。
【００２７】
この構成でも、上述の効果を得ることができる。
【発明を実施するための最良の形態】
【００２８】
以下、本発明による指針計器を、自動車に搭載されるコンビネーションメータ１に適用した場合を例に図面に基づいて説明する。
【００２９】
（構成）
図１は、本発明の一実施形態による指針計器であるコンビネーションメータ１の正面図である。
【００３０】
図２は、図１中のＩＩ−ＩＩ線断面図である。
【００３１】
図３は、本発明の一実施形態によるコンビネーションメータ１の電気回路構成を説明する回路構成図である。
【００３２】
図４は、図１に示すコンビネーションメータ１の図２に示す発光ダイオード６２と光源である発光ダイオード６３の消燈時における正面図である。
【００３３】
指針計器であるコンビネーションメータ１は、自動車の運転席前方に配置されて当該自動車に関する各種情報を表示する。
【００３４】
本発明の一実施形態によるコンビネーションメータ１は、図１に示すように、走行速度を表示する速度計を構成する。速度計は、走行速度を表示して運転者に視認させるために、文字部２１が形成された文字盤２と、目盛部３１が形成された透光性部材である目盛リング３と、文字盤２の目視側前面（図２おいて左側の面）に沿って回動する指針４とを備える。
【００３５】
文字盤２は、曇りガラス特性を有するように形成される。具体的に、文字盤２は、スモーク調（曇りガラス調）に調整されて透光性を有する材料、例えば無色透明な樹脂等に光拡散性を有する微粉末を混入させた材料から板状に形成される。黒色で遮光性の背景層２２を、文字盤２の裏面（図２において右側の面）に文字部２１の背景部として形成し、背景層２２の開口を文字部２１として形成する。背景層２２は、ホットスタンプや印刷等により形成される。
【００３６】
文字盤２の外周側に位置する環状部を、図１に示すように、遮蔽部２３として形成する。即ち、遮蔽部２３は、指針４の先端が回動する方向へ沿う形状に設けられる。遮蔽部２３の断面は、図２に示すように、その板厚（図２において左右方向の寸法）が外周方向（図２において上下方向）へ向かって薄くなるように楔形に形成される。
【００３７】
文字盤２、即ち、遮蔽部２３が曇りガラス特性を有するように形成されているため、楔形に形成されている遮蔽部２３の透光性は、外周方向へ向かって、徐々に高まる。これにより、遮蔽部２３は、その透光性が外周方向へ向かって徐々に高まるように形成されているグラデーション部を構成する。
【００３８】
尚、文字盤２（遮蔽部２３）は、後述する光源である発光ダイオード６３が消燈している状態において目視側（図２において左側）から文字盤２（遮蔽部２３）を通して文字部２１と後述する目盛部３１の一部３１ａ（図１において内周側の部位、図２において右側の部位）とを視認させないようにスモーク調が調整される。さらに、文字盤２（遮蔽部２３）は、発光ダイオード６３が点燈している状態において目視側から文字盤２（遮蔽部２３）を通して文字部２１と目盛部３１の一部３１ａとを視認できるようにスモーク調が調整される。
【００３９】
即ち、文字盤２（遮蔽部２３）は、発光ダイオード６３の点燈・消燈の切替により、文字部２１と目盛部３１の一部３１ａの表示の切替が可能なようにスモーク調が調整される。
【００４０】
また、遮蔽部２３の裏面（図２において楔形の傾斜部分）には、背景層２２を形成しない。
【００４１】
目盛リング３は、例えば無色透明なアクリル樹脂等からリング状に形成される。白色で透光性の目盛層３２を目盛リング３の前面（図２において左側の面）に形成し、黒色で遮光性の背景層３３を、目盛層３２の前面（図２において左側の面）に目盛部３１の背景部として形成する。目盛部３１は、目盛層３２を背景層３２の開口を通して視認させる構成として形成される。目盛層３２と背景層３３も、それぞれ、ホットスタンプや印刷等により形成される。
【００４２】
目盛部３１は、指針４の先端が回動する方向へ沿って形成され、且つ、遮蔽部２３（文字盤２）に対して傾斜して形成される。
【００４３】
目盛部３１の一部３１ａ（図１において内周側の部位、図２において右側の部位）は、文字盤２の遮蔽部２３によって目視側（図２において左側）から遮蔽されるように配置される。目盛部３１の残部３１ｂ（図１において外周側の部位、図２において左側の部位）は、目盛部３１の一部３１ａより目視側に配置され、文字盤２より目視側に飛び出すように配置される。目盛部３１の各目盛は、図１に示すように、目盛部３１の一部３１ａと目盛部３２の残部３１ｂとの間で連続して形成されている。
【００４４】
尚、図２においては、文字盤２を、遮蔽部２３より外周側に設けない構成としているが、これに限定しない。目盛部３１の残部３１ｂが文字盤２より目視側に飛び出すことが可能なように、文字盤２に対して開口部を設ける構成とすることも可能である。
【００４５】
文字盤２には、図２に示すように、後述するムーブメント５のシャフト５１を挿通させるための貫通孔２６が設けられ、文字盤２と目盛リング３の背後側（図２において右側）には、ムーブメント５、発光ダイオード６１、６２、光源である発光ダイオード６３、支持部材７、プリント基板８、マイクロコンピュータ等から構成される制御装置９が配置される。プリント基板８は、速度計の電気回路部を形成するものであり、ムーブメント５と発光ダイオード６１−６３と制御装置９は、プリント基板８に実装される。
【００４６】
ムーブメント５は、例えば交差コイル式アクチュエータ、あるいはステッピングモータ等から構成され、外部からの電気信号（本実施形態においては車速信号）に対応した角度だけシャフト５１を回動させるものである。シャフト５１は、文字盤２の貫通孔２６を通して前面側、つまり図２において左側へ延出し、その先端に指針４が固定される。
【００４７】
文字盤２の支持部部材７の内側は、発光ダイオード６１からの例えば白色光を指針４へ導く照明室を形成する。指針４は、アクリル樹脂等の透光性材料により形成されてその指針４の前面に赤色層が形成され、指針４内に入射した発光ダイオード６１の白色光によって、赤色で発光表示されるように構成される。
【００４８】
遮光キャップ４１は、発光ダイオード６１の白色光が視認者の目に直接入射しないようにするためのものであり、遮光性で黒色の樹脂等から形成される。
【００４９】
発光ダイオード６２からの例えば白色光は、文字盤２を透過照明し、発光ダイオード６３からの例えば白色光は、目盛リング３に入射して目盛部３１を透過照明する。
【００５０】
これらを収納する筐体は、アッパケース１０とロアケース１１と透明カバー１２とから構成される。ロアケース１１には、支持部１１ａが形成され、目盛リング３を、アッパケース１０とロアケース１１の支持部１１ａとによって挟むようにしてこれらに固定させる。尚、アッパケース１０とロアケース１１は、遮光性で黒色の樹脂等から形成され、透明カバー１２は、無色透明の樹脂等から形成される。
【００５１】
尚、目盛リング３には、第１凸部３４と第２凸部３５とが形成され、第１凸部３４を、アッパケース１０の貫通孔に挿通させてアッパケース１０の目視側（図２において左側）へ突出させる。また、第２凸部３５を、ロアケース１１の外周側（図２において上側と下側）へ突出させるように、アッパケース１０とロアケース１１の支持部１１ａとによって挟む構成とする。第１凸部３４と第２凸部３５は、図１に示すように目盛部３１を外周側から加飾するものである。
【００５２】
以上説明した本実施形態によるコンビネーションメータ１の電気回路構成について、図３に基づいて説明する。
【００５３】
制御装置９には、バッテリ１５から電力が常時供給され、イグニッションスイッチ１４がその操作ポジション（オフポジション、オンポジション）を検出可能に接続される。また、制御装置９には当該自動車の走行速度を検出する車速センサ１３がその信号を入力可能に接続される。
【００５４】
また、車速センサ１３からの検出信号に応じて制御装置９によって駆動されるムーブメント５、発光ダイオード６１−６３も、制御装置９に接続される。
【００５５】
（作動）
以下に、上記構成において、本実施形態によるコンビネーションメータ１の作動を説明する。
【００５６】
運転者によってイグニッションスイッチ１４がオンされると、図３において、制御装置９は、それを検出して作動を開始し、発光ダイオード６１−６３を点灯させると共に、ムーブメント５を駆動する。即ち、制御装置９は、速度センサ１３からの出力信号に基づき、当該自動車の車速を算出し、これに対応した角度だけシャフト５１を回動させるように、ムーブメント５を駆動する。
【００５７】
点灯した発光ダイオード６１の白色光は、図２において、支持部材７により導かれ、指針４を赤色で発光表示させる。
【００５８】
点灯した発光ダイオード６２の白色光は、図２に示す矢印Ｐ１の光路に従って文字盤２を透過照明する。これにより、文字盤２では、図１において、文字２１が黒色の背景層２２を背景として白色で発光表示される。
【００５９】
点灯した発光ダイオード６３の白色光は、図２に示す矢印Ｐ２の光路に従って、目盛リング３に入射して目盛部３１を透過照明し、透光性を有する遮蔽部２３を透過する。これにより、目盛部３１の一部３１ａと目盛部３１の残部３１ｂの両者が、図１において、黒色の背景層３３を背景として白色で発光表示される。目盛リング３に入射した発光ダイオード６３の白色光の一部は、第１凸部３４と第２凸部３５に到達するため、図１においてこれらも発光表示させる。
【００６０】
上述したように、目盛部３１は、遮蔽部２３（文字盤２）に対して傾斜して形成され、目盛部３１の残部３１ｂは、目盛部３１の一部３１ａより目視側（図２において左側）に配置される。また、スモーク調に調整された遮蔽部２３の断面は、その板厚（図２において左右方向の寸法）が外周方向へ向かって薄くなるように楔形に形成される。即ち、遮蔽部２３は、目盛部３１の一部３１ａ側から目盛部３１の残部３１ｂ側へ向かって徐々に透光性が高まるように形成されている。
【００６１】
これにより、目盛部３１の表示に奥行き感えられると共に、遮蔽部２３で遮蔽されている目盛部３１の一部３１ａが指針４の回転中心へ向かって徐々に視認し難くなり、いわゆるグラデーション効果が得られる。このため、目盛部３１を奥へ伸びて消えていくように見せることができ、目盛部３１が奥へ伸びていく感覚をより強調できる。
【００６２】
一方、イグニッションスイッチ１４がオフされると、発光ダイオード６１−６３が消燈するため、指針４と文字盤２の文字部２１と目盛リング３の目盛部３１は、いずれも発光表示しない。
【００６３】
上述したように、文字盤２は遮蔽部２３を含めてスモーク調に調整されているため、図４に示すように、文字盤２の裏面に形成された文字部２１と、文字盤２の遮蔽部２３によって目視側から遮蔽された目盛リング３の目盛部３１の一部３１ａは、視認できない。しかし、遮蔽部２３によって遮蔽されていない目盛部３１の残部３１ｂは、視認することができる。
【００６４】
これにより、コンビネーションメータ１の表示は、イグニッションスイッチ１４をオン・オフすることによって、図１に示す表示状態と図４に示す表示状態の間で変化する。特に、目盛部３１の表示は、図１に示す目盛部３１の残部３１ｂと一部３１ａの両者が視認される状態と図４に示す目盛部３１の残部３１ｂのみが視認される状態の間で変化する。
【００６５】
この結果、目盛部３１の表示の変化に対して、空間的なつながり感と空間的な広がり感の両者を得ることができる。即ち、イグニッションスイッチ１４をオフ状態からオン状態に切り替えると、目盛部３１の各目盛は短い状態から長い状態に伸びてゆくように見え、反対に、イグニッションスイッチ１４をオン状態からオフ状態に切り替えると、目盛部３１の各目盛は長い状態から短い状態に縮んでゆくように見える。
【００６６】
また、目盛部３１の各目盛が、目盛部３１の一部３１ａと目盛部３１の残部３１ｂとの間で連続して形成されているため、目盛部３１の表示の変化に空間的なつながり感をより高めることができる。
【００６７】
また、目盛部３１が遮蔽部２３に対して傾斜して配置されているため、目盛部３１の表示の変化に、奥行き感を追加でき、空間的な広がり感をより高めることができる。
【００６８】
また、遮蔽部２３の断面が楔形に形成されているため、そのグラデーション効果によってイグニッションスイッチ１４をオンすることによって目盛部３１が奥へ伸びて消えていくように見せることができる。これにより、目盛部３１の表示の変化に、奥行き感をより強調でき、空間的な広がり感をより高めることができる。
【００６９】
以上、本発明の一実施形態による指針計器であるコンビネーションメータ１は、目盛部３１を備えた透光性部材である目盛リング３と、目盛リング３の背後側に配置された光源である発光ダイオード６３と、発光ダイオード６３が消燈している状態において、目盛部３１の一部３１ａを目視側から遮蔽して目視側から視認させないように形成された遮蔽部２３を有し、且つ、目盛部３１の残部３１ｂを目視側から視認させるように構成配置された文字盤２とを備え、遮蔽部２３が、目盛部３１の一部３１ａが発光ダイオード６３が点燈している状態において遮蔽部２３を通して視認できるように透光性を有する。
【００７０】
これにより、表示の変化に空間的なつながり感と空間的な広がり感の両者が得られる指針計器を提供することができる。
【００７１】
（変形例）
図５は、図２の第１変形例を示す断面図である。
【００７２】
第１変形例では、文字盤２は、図５に示すように、上述の例と異なり、目盛部３１の残部３１ｂ（図１において外周側の部位、図５において左側の部位）の目視側（図５において左側）に透明部２５を備え、透明部２５を除く目視側前面にスモーク層２４を備える。
【００７３】
透明部２５は、傾斜している目盛部３１に沿うように傾斜して形成され、発光ダイオード６３が消燈している状態（イグニッションスイッチ１４がオフの状態）において目視側から透明部２５を通して目盛部３１の残部３１ｂを視認可能な透明性を有する。但し、透明部２５は、無色透明に限る必要はなく、例えば黄色等の色相を有することも可能である。
【００７４】
スモーク層２４は、発光ダイオード６２、６３が消燈している状態（イグニッションスイッチ１４がオフの状態）において目視側からスモーク層２４を通して目盛リング３の目盛部３１の一部３１ａ（図１において内周側の部位、図５において右側の部位）と文字盤２の文字部２１とを視認させないようにスモーク調が調整される。さらに、スモーク層２４は、発光ダイオード６２、６３が点燈している状態（イグニッションスイッチ１４がオンの状態）において目視側からスモーク層２４を通して目盛リング３の目盛部３１の一部３１ａと文字盤２の文字部２１とを視認できるようにスモーク調が調整される。
【００７５】
即ち、スモーク層２４は、イグニッションスイッチ１４がオン・オフの切替により、目盛部３１と文字部２１の表示の切替が可能なようにスモーク調が調整される。
【００７６】
スモーク層２４は、遮蔽部２３の部位で、外周方向へ向かって、即ち、目盛部３１の一部３１ａ側から目盛部３１の残部３１ｂ側へ向かって徐々に透光性が高まるように形成され、グラデーション部を構成する。
【００７７】
尚、文字盤２は、例えば無色透明のポリカーボネート樹脂等の板材から形成され、裏面に背景層２２を形成し、目視側前面にスモーク層２４を形成する。この後、透明部２５を圧空成形等で傾斜させて、文字盤２を形成する。
【００７８】
以上により、第１変形例においても上述の効果を得ることができる。
【００７９】
図６は、図２の第２変形例を示す断面図である。
【００８０】
第２変形例では、目盛リング３を、図６に示すように、第１変形例と異なり、文字盤２（遮蔽部２３）に対して傾斜させないで板状に形成し、文字盤２に透明部２５を形成しない構成とする。
【００８１】
目盛部３１が遮蔽部２３に対して傾斜して配置されていないため、目盛部３１の表示の変化に、奥行き感が得られないが、目盛部３１の表示の変化に対して、空間的なつながり感と空間的な広がり感の両者を得ることができる。
【００８２】
図７は、図２の第３変形例を示す断面図である。
【００８３】
第３変形例では、板状の目盛リング３を、図７に示すように、第２変形例と異なり、文字盤２（遮蔽部２３）に対してより背後側（図７において右側）に配置する。
【００８４】
このため、第３変形例では、第２変形例に比較してより空間的な広がり感を得ることができる。
【００８５】
図８は、図２の第４変形例を示す断面図である。
【００８６】
図９は、第４変形例におけるコンビネーションメータ１の発光ダイオード６２、６３の消燈時における正面図である。
【００８７】
第４変形例では、遮蔽部２３を、図８に示すように、上述の例と異なり、目盛部３１の一部３１ａ（図１において内周側の部位、図８において左側の部位）でなくて目盛部３１の残部３１ｂ（図１において外周側の部位、図８において右側の部位）を遮蔽するように配置する。これに伴ない、透明部２５を、目盛部３１の一部３１ａの目視側（図８において左側）に配置する。
【００８８】
また、板状の目盛リング３を、目盛部３１の一部３１ａが目盛部３１の残部３１ｂより目視側（図８において左側）に配置されるように傾斜させる。スモーク層２４を、遮蔽部２３の部位で、内周方向へ向かって、即ち、目盛部３１の残部３１ｂ側から目盛部３１の一部３１ａ側へ向かって徐々に透光性が高まるように形成し、グラデーション部を構成する。
【００８９】
以上により、イグニッションスイッチ１４（発光ダイオード６３）をオフからオンに切り替えると、コンビネーションメータ１は、図９に示す状態から図１に示す状態へ切り替わる。即ち、目盛部３１は、上述の例と反対方向の内周側から外周側へ向かって奥へ伸びて消えていくように見せることができる。
【００９０】
以上により、第４変形例においても上述の効果を得ることができる。
【００９１】
また、第１変形例から第４変形例において、スモーク層２４の代わりにハーフミラー層を形成することも可能である。ハーフミラー層は、例えば透光性樹脂に所定の粒径や形状を有する所定量のアルミニウム粉末を混入させた材料で印刷等により形成する。尚、ハーフミラー層は、第１変形例から第３変形例において、スモーク層２４の場合と同様に、遮蔽部２３の部位で、外周方向へ向かって、即ち、目盛部３１の一部３１ａ側から目盛部３１の残部３１ｂ側へ向かって徐々に透光性が高まるように形成され、グラデーション部を構成する。
【００９２】
一方、第３変形例では、ハーフミラー層を、遮蔽部２３の部位で、内周方向へ向かって、即ち、目盛部３１の残部３１ｂ側から目盛部３１の一部３１ａ側へ向かって徐々に透光性が高まるように形成し、グラデーション部を構成する。
【００９３】
尚、上述の実施形態や変形例では、コンビネーションメータ１が速度計を形成しているが、これに限る必要は無く、他の指針計器、例えば回転計等と置き換える、あるいは追加することができる。
【００９４】
また、本発明は、上述の例に限らず、これらの組み合わせや、他の種々の変形例が考えられる。
【図面の簡単な説明】
【００９５】
【図１】図１は、本発明の一実施形態による指針計器であるコンビネーションメータ１の正面図である。
【図２】図２は、図１中のＩＩ−ＩＩ線断面図である。
【図３】図３は、本発明の一実施形態によるコンビネーションメータ１の電気回路構成を説明する回路構成図である。
【図４】図４は、図１に示すコンビネーションメータ１の図２に示す発光ダイオード６２と光源である発光ダイオード６３の消燈時における正面図である。
【図５】図５は、図２の第１変形例を示す断面図である。
【図６】図６は、図２の第２変形例を示す断面図である。
【図７】図７は、図２の第３変形例を示す断面図である。
【図８】図８は、図２の第４変形例を示す断面図である。
【図９】図９は、第４変形例におけるコンビネーションメータ１の発光ダイオード６２、６３の消燈時における正面図である。
【符号の説明】
【００９６】
１  コンビネーションメータ（指針計器）
２  文字盤、２１  文字部、２２  背景層
２３  遮蔽部（グラデーション部）、２４  スモーク層（グラデーション部）
２５  透明部、２６  貫通孔
３  目盛リング（透光性部材）、３１  目盛部、３１ａ  一部、３１ｂ  残部
３２  目盛層、３３  背景層、３４  第１凸部、３５  第２凸部
４  指針、４１  遮光キャップ、５  ムーブメント、５１  シャフト
６１、６２  発光ダイオード、６３  発光ダイオード（光源）
７  支持部材、８  プリント基板、９  制御装置
１０  アッパケース、１１  ロアケース、１１ａ  支持部、１２  透明カバー
１３  速度センサ、１４  イグニッションスイッチ、１５  バッテリ
【図１】
2007218694.tif 000003
【図２】
2007218694.tif 000004
【図３】
2007218694.tif 000005
【図４】
2007218694.tif 000006
【図５】
2007218694.tif 000007
【図６】
2007218694.tif 000008
【図７】
2007218694.tif 000009
【図８】
2007218694.tif 000010
【図９】
2007218694.tif 000011